(57)【特許請求の範囲】
【請求項１】
水平走査周波数に位相同期した周波数で量子化されたコンポジット・カラー・テレビジョン信号を入力して、着目ラインを含む上下のライン、着目ラインを含む上あるいは下のラインの２ライン、着目ラインのみ、とから着目ラインについてのクロマ成分の抽出をする計４つのクロマ成分抽出手段と、
前記４つのクロマ成分抽出手段からの信号を入力し、いずれか１つを出力する選択手段と、
前記コンポジット・カラー・テレビジョン信号の着目ラインと該着目ラインの上下のラインの信号を入力し、副搬送波成分を通過させるバンドパス・フィルタと、
前記バンドパス・フィルタからの信号を入力し、前記選択手段の選択を制御するための制御信号を生成する信号処理回路と
を備えるＹ／Ｃ分離回路であって、
前記信号処理回路は、
着目ラインと下のラインから、上下関係にあるサンプル値の差を算出して、クロマ信号のゼロ・レベルを基準として算出結果を絶対値化し、該絶対値化した連続するデータ値を加算することで平均化する第１の相関データ生成手段、
着目ラインと下のラインから、上下関係にあるサンプル値の和を算出して、クロマ信号のゼロ・レベルを基準として算出結果を絶対値化し、該絶対値化した連続するデータ値を加算することで平均化する第２の相関データ生成手段、
着目ラインと上のラインから、上下関係にあるサンプル値の差を算出して、クロマ信号のゼロ・レベルを基準として算出結果を絶対値化し、該絶対値化した連続するデータ値を加算することで平均化する第３の相関データ生成手段、
着目ラインと上のラインから、上下関係にあるサンプル値の和を算出して、クロマ信号のゼロ・レベルを基準として算出結果を絶対値化し、該絶対値化した連続するデータ値を加算することで平均化する第４の相関データ生成手段、
前記第１と第２の相関データ生成手段からの出力を入力し、ゼロ値に近い一方のデータを出力する第１の最小値選択手段、
前記第３と第４の相関データ生成手段からの出力を入力し、ゼロ値に近い一方のデータを出力する第２の最小値選択手段、
前記第１と第２の最小値選択手段の出力を入力し、その差分を計算し、その差分を査定して出力する第１の査定手段、
前記第１と第２の相関データ生成手段の出力を入力し、その差分を計算し、その差分を査定して出力する第２の査定手段、
前記第３と第４の相関データ生成手段の出力を入力し、その差分を計算し、その差分を査定して出力する第３の査定手段、および
前記第１ないし３の査定手段の出力を入力し、前記選択手段の選択を制御するための前記制御信号を生成する選択テーブル手段
を有し、
前記選択手段の出力信号からクロマ成分信号を生成することを特徴とするＹ／Ｃ分離回路。
【請求項２】
前記第１の査定手段は、前記差分の絶対値に基づく出力と前記入力の大小の比較に基づく出力とを備え、
前記第２と第３の査定手段のそれぞれは、前記入力の符号を含む差分と予め定めた第１の閾値の正の値との比較結果に基づく出力と、前記入力の符号を含む差分と予め定めた前記第１の閾値の負の値との比較結果に基づく出力とを備えることを特徴とする請求項１に記載のＹ／Ｃ分離回路。
【請求項３】
前記第１の査定手段は、予め定めた第２の閾値を有し、
前記第２の閾値の正および負の値の間に前記差分値が含まれるか否かの比較結果を出力することを特徴とする請求項２に記載のＹ／Ｃ分離回路。
【請求項４】
前記第１ないし４の相関データ生成手段のそれぞれの出力を入力して前記第１および第２の閾値を出力する閾値処理手段をさらに備え、前記第１ないし３の査定手段のそれぞれは、前記閾値処理手段からの前記第１および第２の閾値に基づいて実行されることを特徴とする請求項３に記載のＹ／Ｃ分離回路。
【請求項５】
前記第１ないし３の査定手段の前記第１および第２の閾値は、予め定められた定数であることを特徴とする請求項３または４に記載のＹ／Ｃ分離回路。
【請求項６】
前記第１ないし４の相関データ生成手段のそれぞれは、連続する３個のサンプル値を加算することを特徴とする請求項１ないし５のいずれかの項に記載のＹ／Ｃ分離回路。
【発明の詳細な説明】
【０００１】
【発明の属する技術分野】
本発明は、アナログ／デジタル変換された、たとえば、ＮＴＳＣアナログ・テレビジョン信号や、ＰＡＬアナログ・テレビジョン信号を輝度（Ｙ）信号とクロマ（Ｃ）信号に分離するＹ／Ｃ分離回路に関する。
【０００２】
【従来の技術】
たとえば、ＮＴＳＣアナログ・テレビジョン信号の画像領域には、輝度信号（Ｙ）信号が振幅変調された信号として伝送され、また色信号は、同じ領域に色搬送波信号により変調された信号が重畳されている。また、同期成分も同時に伝送されている。この形態の信号は、符号化された信号であり、通常カラー複合映像信号と呼ばれている。受信側では、このような符号化された信号をデコードして、輝度信号と色信号を分離し、さらに色信号をＲＧＢの各色信号に複合している。
【０００３】
この、いわゆるＮＴＳＣアナログ・テレビジョン信号（コンポジット信号とも呼ばれる）を以下の様に表現できる。
【０００４】
Comp(t)=Y(t)+C(t)=Y(t)+U(t)sin(ωt)+V(t)cos(ωt)
ここで、Ｃｏｍｐ（ｔ）は、画像領域のテレビジョン信号であり、Ｙは輝度信号、Ｃは色（クロマ）信号、Ｕ、Ｖは色信号（Ｕ＝Ｒ−Ｙ、Ｖ＝Ｂ−Ｙ；Ｒ＝赤信号、Ｂ＝青信号）、ωは色搬送波信号の角周波数、ｔは時間である。
【０００５】
Ｙ／Ｃ分離は、上述の式において、Ｃｏｍｐ（ｔ）の信号から、Ｙ（ｔ）とＣ（ｔ）を独立に得ることである。通常においては、Ｙ（ｔ）とＣ（ｔ）の周波数帯域が重なっているので、完全な分離は困難である、しかしながら、従来においては、変調周波数そのもの、変調周波数とテレビジョン信号の水平走査周波数、あるいは垂直走査周波数の関係を利用して各種の方法が提案され、実行されている。
【０００６】
Ｙ／Ｃ分離の方法には、色信号の変調周波数を中心とするバンドパス・フィルタ出力を色成分とし、残りを輝度成分とする１次元Ｙ／Ｃ分離がある。また、変調周波数とテレビジョン信号の水平走査周波数との関係において、隣接する走査線においては変調周波数の位相が１８０度であり、この隣接する走査線の画像は相関があるとして、加算・減算を行うことで、輝度信号、色信号を算出する２次元Ｙ／Ｃ分離（くし型フィルタ）方法がある。この方法には、隣接する走査線として、上方あるいは下方の走査線データを使用する場合、あるいは上下の走査線データを使用する方法がある。また、同一のフィールド内ではなく、隣接するフィールドの上下の走査線データ、あるいは隣接するフレームの同一場所の走査線データを使用する方法もある。これらは、３次元Ｙ／Ｃ分離と呼ばれ、時間軸の方向の動き検出とともに使用され、動きの無い場合は３次元Ｙ／Ｃ分離、動きのある場合は２次元Ｙ／Ｃ分離、そして走査線間の相関に応じて２次元Ｙ／Ｃ分離の各種が、そして走査線間に相関が無い場合は１次元Ｙ／Ｃ分離が適応的に切り替える、適応型Ｙ／Ｃ分離が一般的になっている。
【０００７】
上述した適応型Ｙ／Ｃ分離は、分離した際の色信号の輝度信号へのモレ、あるいは輝度信号の色信号へのモレを少なくする目的で使用されており、一般的に、前者についてはドット妨害の抑圧、後者についてはクロスカラーの低減とされている。さらに、全体的な画像品質の低下無しに実施すること、あるいは目的に合致したコスト・パフォーマンスの良い方法が各種提案され、あるいは実行されている。しかしながら、色々な問題を残しているのが現状である。
【０００８】
また、上述した２次元Ｙ／Ｃ分離は、古くはガラス遅延線、あるいはＣＣＤを使用したアナログ方式で実施され、近年ではデジタル処理において実施されている。
【０００９】
【発明が解決しようとする課題】
しかしながら、従来のＹ／Ｃ分離方法においては、特に２次元のＹ／Ｃ分離における垂直方向の走査線（ライン）の相関において、３ライン、上のラインを含む２ライン、下のラインを含む２ライン、あるいは全く相関が無い場合の１ラインからクロマ抽出を行う場合において、それぞれを適応的に選択するとしているが、具体的な良い方法が無かった。
【００１０】
本発明は、このような問題に鑑みてなされたもので、その目的とするところは、２次元のＹ／Ｃ分離における改良されたライン相関の検出回路および方法を採用したＹ／Ｃ分離回路を提供することにある。
【００１１】
【課題を解決するための手段】
本発明は、このような目的を達成するために、請求項１に記載の発明は、水平走査周波数に位相同期した周波数で量子化されたコンポジット・カラー・テレビジョン信号を入力して、着目ラインを含む上下のライン、着目ラインを含む上あるいは下のラインの２ライン、着目ラインのみ、とから着目ラインについてのクロマ成分の抽出をする計４つのクロマ成分抽出手段と、前記４つのクロマ成分抽出手段からの信号を入力し、いずれか１つを出力する選択手段と、前記コンポジット・カラー・テレビジョン信号の着目ラインと該着目ラインの上下のラインの信号を入力し、副搬送波成分を通過させるバンドパス・フィルタと、前記バンドパス・フィルタからの信号を入力し、前記選択手段の選択を制御するための制御信号を生成する信号処理回路と、を備えるＹ／Ｃ分離回路であって、前記信号処理回路は、着目ラインと下のラインから、上下関係にあるサンプル値の差を算出して、クロマ信号のゼロ・レベルを基準として算出結果を絶対値化し、該絶対値化した連続するデータ値を加算することで平均化する第１の相関データ生成手段、着目ラインと下のラインから、上下関係にあるサンプル値の和を算出して、クロマ信号のゼロ・レベルを基準として算出結果を絶対値化し、該絶対値化した連続するデータ値を加算することで平均化する第２の相関データ生成手段、着目ラインと上のラインから、上下関係にあるサンプル値の差を算出して、クロマ信号のゼロ・レベルを基準として算出結果を絶対値化し、該絶対値化した連続するデータ値を加算することで平均化する第３の相関データ生成手段、着目ラインと上のラインから、上下関係にあるサンプル値の和を算出して、クロマ信号のゼロ・レベルを基準として算出結果を絶対値化し、該絶対値化した連続するデータ値を加算することで平均化する第４の相関データ生成手段、前記第１と第２の相関データ生成手段からの出力を入力し、ゼロ値に近い一方のデータを出力する第１の最小値選択手段、前記第３と第４の相関データ生成手段からの出力を入力し、ゼロ値に近い一方のデータを出力する第２の最小値選択手段、前記第１と第２の最小値選択手段の出力を入力し、その差分を計算し、その差分を査定して出力する第１の査定手段、前記第１と第２の相関データ生成手段の出力を入力し、その差分を計算し、その差分を査定して出力する第２の査定手段、前記第３と第４の相関データ生成手段の出力を入力し、その差分を計算し、その差分を査定して出力する第３の査定手段、および前記第１ないし３の査定手段の出力を入力し、前記選択手段の選択を制御するための前記制御信号を生成する選択テーブル手段を有し、前記選択手段の出力信号からクロマ成分信号を生成することを特徴とするものである。
【００１２】
また、請求項２に記載の発明は、請求項１に記載のＹ／Ｃ分離回路であって、前記第１の査定手段は、前記差分の絶対値に基づく出力と前記入力の大小の比較に基づく出力とを備え、前記第２と第３の査定手段のそれぞれは、前記入力の符号を含む差分と予め定めた第１の閾値の正の値との比較結果に基づく出力と、前記入力の符号を含む差分と予め定めた前記第１の閾値の負の値との比較結果に基づく出力とを備えることを特徴とするものである。
【００１３】
また、請求項３に記載の発明は、請求項２に記載のＹ／Ｃ分離回路であって、前記第１の査定手段は、予め定めた第２の閾値を有し、前記第２の閾値の正および負の値の間に前記差分値が含まれるか否かの比較結果を出力することを特徴とするものである。
【００１４】
また、請求項４に記載の発明は、請求項３に記載のＹ／Ｃ分離回路であって、前記第１ないし４の相関データ生成手段のそれぞれの出力を入力して前記第１および第２の閾値を出力する閾値処理手段をさらに備え、前記第１ないし３の査定手段のそれぞれは、前記閾値処理手段からの前記第１および第２の閾値に基づいて実行されることを特徴とするものである。
【００１５】
また、請求項５に記載の発明は、請求項３または４に記載のＹ／Ｃ分離回路であって、前記第１ないし３の査定手段の前記第１および第２の閾値は、予め定められた定数であることを特徴とするものである。
【００１６】
また、請求項６に記載の発明は、請求項１ないし５のいずれかの項に記載のＹ／Ｃ分離回路であって、前記第１ないし４の相関データ生成手段のそれぞれは、連続する３個のサンプル値を加算することを特徴とするものである。
【００１８】
【発明の実施の形態】
以下、図面を参照して本発明の実施例について説明する。
【００１９】
図１は、本発明の実施形態を表したブロック図であり、符号１００に示す量子化されたＮＴＳＣテレビジョン信号を入力し、ＣおよびＹの出力信号（１１８、１１９）を出力するＹ／Ｃ分離回路の全体構成を示している。ここにおける回路のクロックは、ＩＴＵ−Ｒ  ＢＴ．６０１の「４：２：２デジタル・コンポーネント・テレビ信号」規格におけるＹ信号の標本化周波数１３．５ＭＨｚとして説明する。
【００２０】
図１において、符号１０１、１０２は１走査線期間を遅延させる遅延回路、符号１０３〜１０５は色信号成分を通過させるバンドパス・フィルタ、符号１０６、１０７は相関計算部、符号１０８〜１１１は、相関計算部からの信号の平均化をする部分であり、符号１１２は、それぞれの平均化された４個の値を入力してライン間の相関を検出する部分であり、具体的には４個の値のそれぞれの比較をして６個の比較結果を出力する部分、符号１１３は、相関検出部分からの出力を入力して符号１１５の選択器の選択制御を出力する選択テーブルである。
【００２１】
選択器１１５には、符号１１４で示すクロマ分離部からのそれぞれの方法で抽出したクロマ信号が入力され、いずれか１つが選択されて出力される。クロマ分離部１１４には、入力信号１００と、この信号の１走査線期間遅延器１０１、１０２を通した信号が入力される。これらの信号は、図２に示すように、着目サンプルＳ５を中心とした周囲の画素に分解され、計９個の画素のサンプル値を使用してクロマ信号の抽出を行っている。
【００２２】
図１の符号１１４に示すクロマ分離部の出力で１Ｌｉｎｅと示した出力信号、すなわちクロマ信号は、図２に示すそれぞれのサンプルＳ４、Ｓ５、Ｓ６の３つの画素のみから生成される信号ではなく、Ｓ５を基準とした１ラインのバンドパス・フィルタから生成される。２Ｌｉｎｅ  ｕｐと２Ｌｉｎｅ  ｄｏｗｎおよび３ｌｉｎｅのそれぞれの出力信号すなわちクロマ信号は、サンプルＳ４〜Ｓ９、サンプルＳ１〜Ｓ６そしてＳ１〜Ｓ９を使用して生成される。
【００２３】
図３は、図１に示したＢＰＦの出力から選択器までの詳細を示す図であり、ブロックダイヤグラムとして示している。なお、この図において、それぞれの信号の時間一致のためのデレーは省略している。
【００２４】
図３において、入力信号ａ１、ａ２、ａ３は、図１に示した同一の符号で示したＢＰＦ１０３〜１０５の出力部からの信号である。したがって、この信号は、周波数帯域としてはクロマ成分の帯域を有している信号である。言い換えれば、図１に示したクロマ分離部１１４の１Ｌｉｎｅの出力信号と、時間軸は別として同一内容の信号である。また、着目サンプルは、信号ａ２上に存在している。
【００２５】
まず、着目サンプルを含むラインとその上下のラインとの相関を見るために、着目ラインと上のライン、着目ラインと下のラインの和と差を求める。この和と差の計算は、図２で示すとサンプルＳ５とＳ８あるいはＳ５とＳ２の間で実行される。このサンプル値の加算器、減算器が符号３０１〜３０４である。減算器の出力信号には、減算値と被減算値の大小関係にしたがって負の値になる。その場合、符号３０５、３０７で示す絶対値化部で正数とする。それぞれの和そして絶対値化された差は、符号３０９〜３１２で示す平均化部で平均化される。具体的には、着目サンプルと前後のサンプル値を重み付けして加算し、周期的な態様を示す入力を、たとえば、平坦な出力値を有するように平均化する。この平均化において、副搬送波周波数の整数倍のクロック周波数ではなく１３．５ＭＨｚの周波数を使用しているので、副搬送波周波数を有する波形の平坦化をする場合は各サンプルの重み付けを工夫する必要がある。この重み付けは、実施形態においては、１：２：１の係数値を使用している。
【００２６】
なお、クロマ信号のデジタル表現において、たとえば８ビットで表す場合、０から２５５の値を示すことが可能であるが、１２８の値をクロマ信号のゼロ・レベルとしている。したがって、以下においては、１２８をクロマ信号のゼロとして、１２８以下をマイナス、１２８以上をプラスの値に換算して考えるものとする。
【００２７】
この平均化部３０９〜３１２の出力は、たとえば、３ラインの間に完全な相関がある場合、すなわち３ラインが同色である場合、隣接するライン間の副搬送波周波数は位相が１８０度異なっているので平均化器３１０、３１２の入力は０（ゼロ）が継続し、反対に平均化器３０９、３１１の入力は大きなピーク値を有する搬送波の形態を有することになる。ＢＰＦ１０３〜１０５の出力信号がピーク値ｍの値を有するクロマ成分信号の場合で、仮にサンプル間隔が４倍の副搬送波周波数の場合の例を以下の表に示す。
【００２８】
以下の表において、色信号が無いとした場合は、ＢＰＦの出力信号は、１２８のデジタル値を示し、クロマ成分としてゼロ値の場合を示している。
【００２９】
着目ラインを含めて画面上で上下のラインの計３ラインがピーク値ｍの値を有する同色クロマ成分信号の場合、下２ライン、上２ラインが同色の場合、着目ラインのみに色信号がる場合の平均化器それぞれの入力信号の取り得る値を示している。指定外のラインは色成分信号が無いと仮定する。
【００３０】
【表１】
0004638613.tif 000002
【００３１】
（１）３ライン同色の場合、平均化器１０９、１１１の入力は打ち消し合ってゼロとなり、反対に平均化器１０８、１１０の入力は、位相が反転されているので結果として加算されてピーク値が倍の２ｍとなる周期的な信号となる。
【００３２】
（２）下２ラインが同色の場合、平均化器１０９の入力は打ち消し合ってゼロとなり、反対に平均化器１０８の入力は、位相が反転されているので結果として加算されてピーク値が倍の２ｍとなる周期的な信号となる。しかし、上の２ラインの計算結果を示す平均化器１１０、１１１の入力は、一方がゼロのため共に値ｍを有する周期的な信号、言い換えれば、入力信号のマイナス部分をプラスに転じた信号となる。
【００３３】
（３）上２ラインが同色の場合、平均化器１１１の入力は打ち消し合ってゼロとなり、反対に平均化器１１０の入力は、位相が反転されているので結果として加算されてピーク値が倍の２ｍとなる周期的な信号となる。
【００３４】
（４）着目ラインのみに色信号がある場合、全ての平均化器の入力は、ピーク値がｍとなる周期的な信号となる。
【００３５】
（５）さらに、入力信号として色成分信号が全く無い場合、基本的にはそれぞれの平均化器の入力値は、ゼロのままである。
【００３６】
この周期は、たとえば、４倍の副搬送波周波数の場合、副搬送波周期は４クロックであるが、差の平均回路への入力は絶対値化されているので、４クロック半分の２クロックとなる。このことは、平均化を行う場合に重要となり着目サンプルを中心にして前後を加算する場合に、その位相を考慮する必要がある。たとえば、４倍の副搬送波周波数の場合では、着目サンプルに対する前後のサンプルの位相は１８０度異なっており、また絶対値化されているので、上述した条件下においては同じ値に成っている。したがって、上述したように、副搬送波周期の値の変化を有する平均化器の入力を、着目サンプルに対して２の係数を乗算し、前後のサンプルに対しては１を乗算して、それぞれを加算することにより、平均化している。実施形態におけるサンプル間隔は、１３．５ＭＨｚのクロック周波数であるので、４ｆｓｃのサンプル間隔の約１．０６０６０６・・・倍（９５．４５４５４５度）度であり。大略においては、上述した４ｆｓｃのサンプリング・クロックにおける考察が適用される。
【００３７】
クロマ信号しての副搬送波周波数の信号を１３．５ＭＨｚでサンプリングした信号を図３に示す回路の入力に加えた場合に、上述した実施形態における平均化器の出力は、平均化器の入力が１と０の間の値を有した周期的な変化を有するが、平均化器の出力においては、平均化時の重み付けを１：２：１にした場合においては、最小値が約１．９９０、最大が約２．８２１となる。
【００３８】
以上に説明した平均値化器の出力信号のそれぞれは最小値選択回路３１３、３１４に入力され、差分の平均値と和の平均値のいずれが小さい値を有するかを検出する。最小値選択回路３１３は着目ラインと下側のラインの相関関係、最小値選択回路３１４は着目ラインと上側のラインの相関関係を調べる。この最小値選択回路３１３、３１４のそれぞれの出力は、減算器３１６に入力される。ここにおいては、たとえば、最小値選択回路３１３の出力値から最小値選択回路３１４の出力値が減算される。この減算出力は、比較部３１９に入力され、ここにおいて、この減算回路の出力値の絶対値が、予め定めた閾値Ｂ以下であるか否かが比較され、その結果がＣ４として出力される。また、この減算結果が予め定めた負の閾値Ｂよりマイナスの方向の値（絶対値が大きい）より大きいか否かが比較され、その結果がＣ２として出力される。また、入力した値が正の値を有するか否かが比較され、Ｃ３として出力される。
【００３９】
したがって、この減算回路の出力値の絶対値が、予め定めた閾値以下の場合、すなわち実質的にゼロに近い場合、表１から３ラインが同色の場合かあるいはクロマ成分が無いと想定される。そうで無い場合は、着目ラインのみにクロマ成分を有すると想定される。また、そのような場合においてもこの減算回路の出力値が正の値を有する場合は、下２ラインにクロマ成分が多いと想定される。
【００４０】
下側２ラインについての平均化器３０９および３１０の出力が減算器３１５に入力され、この減算器３１５から差分が出力される。たとえば、平均化器３０９の出力値から平均化器３１０の出力値が減算される。この減算出力は、比較部３１８に入力され、ここにおいて、この減算結果が予め定めた閾値Ａより大きいか否か比較され、その結果がＣ１として出力される。また、この減算結果が予め定めた負の閾値Ａよりマイナスの方向の値（絶対値が大きい）より大きいか否かが比較され、その結果がＣ２として出力される。この減算結果が予め定めた閾値Ａより大きい場合、表１から下２ラインが同色であることが想定される。そうでない場合は、少なくとも下側２ラインは色を有しないか着目ラインのみにクロマ成分を有すると想定される。一方、この減算結果が予め定めた負の閾値Ａよりマイナスの方向の値（絶対値が大きい）の場合、表１から下２ラインが同色ではなく、それぞれのラインが互いに１８０度近く異なった色成分を有することが想定される。そうでない場合は、少なくとも下側２ラインは色を有しないか着目ラインのみにクロマ成分を有すると想定される。
【００４１】
同様に、上側２ラインについての平均化器３１１および３１２の出力が減算器３１７に入力され、この減算器３１７から差分が出力される。たとえば、平均化器３１１の出力値から平均化器３１２の出力値が減算される。この減算出力は、比較部３２０に入力され、ここにおいて、この減算結果が予め定めた閾値Ａより大きいか否か比較され、その結果がＣ５として出力される。また、この減算結果が予め定めた負の閾値Ａよりマイナスの方向の値（絶対値が大きい）より大きいか否かが比較され、その結果がＣ６として出力される。この減算結果が予め定めた閾値Ａより大きい場合、表１から下２ラインが同色であることが想定される。そうでない場合は、少なくとも下側２ラインは色を有しないか着目ラインのみにクロマ成分を有すると想定される。一方、この減算結果が予め定めた負の閾値Ａよりマイナスの方向の値（絶対値が大きい）の場合、表１から上２ラインが同色ではなく、それぞれのラインが互いに１８０度近く異なった色成分を有することが想定される。そうでない場合は、少なくとも下側２ラインは色を有しないか着目ラインのみにクロマ成分を有すると想定される。
【００４２】
比較回路３１８〜３２０の出力Ｃ１〜Ｃ６は、図１に示した選択テーブルに入力される。ここにおいて、上述したような想定をそれぞれの出力Ｃ１からＣ６のそれぞれの状態を表す信号を総合的に組み合わせて最終的に決定するようにテーブル内容を決めている。この選択テーブル１１３の出力信号は、選択器に１１５に入力されている３ライン抽出、２ライン抽出の２つ、そして１ライン抽出の計４入力のうちいずれか１つを選択する。
【００４３】
なお、上述したクロマ成分信号の抽出において、コンポジット・ビデオ信号を８ビット化して単純なバイナリ演算の加算・減算演算をして、結果それぞれを１／２にした場合に、１２８の値がクロマ信号のゼロ・レベルとなる。たとえば、ある８ビット表現されたクロマ信号を入力した場合の絶対値化器３０５の出力値を表２に示す。
【００４４】
【表２】
0004638613.tif 000003
【００４５】
図４は、上述した図３における平均化回路１０８〜１１１の出力値の変化例を示す図である。この図は、図３の平均化器の入力信号として副搬送波信号の振幅が２の信号を絶対値化した信号を入力した場合の、平均化器の出力値の値の分布状況を示したものである。図４中において０の上下に振れている波形が入力クロマ信号であり、その上段が絶対値出力である。ただし、正の部分は完全に重なっている。上部の振幅値２．５のラインを上下する山状のグラフが平均化出力である。ＮＴＳＣテレビジョン信号の副搬送波信号を１３．５ＭＨｚでサンプリングした結果である。なお、上述したように図４には現れていないが、１０００サンプルの最小値は、１．９９０９９４であり、最大値は２．８２１３７７となっている。最小値は、最大値の約７０％となっている。このことは、図３に示した比較器３１８〜３２０の閾値Ａと閾値のＢは、それぞれの比較器の入力、あるいは、各比較器の入力を調べて、その結果に基づいて決定することが可能であることを示している。
【００４６】
上述した、表１に示した典型的な信号の場合、各平均化器が入力するピーク値を加算すると４（ｍ＝１とする）となる。入力のレベルは１であり、この加算結果を１／４にすることにより、入力のクロマレベルを想定することが可能なように思われる。
【００４７】
また、平均化器の重み付けが１：２：１の場合に、平均化器の出力値は前述のように１．９９０から２．８２１の範囲を取り得る。平均器の構成と重み付けを適応させることにより、たとえば、１：１．８７５：１とすることにより、最小値は変らずに最大値が、２．７３４に減少する。
【００４８】
したがって、周期的に変化するクロマ成分信号の振幅を安定した状態で把握しようとした場合、平均化器の各出力から求めざるを得ない。平均化器の重み付けを上述した１：２：１とした場合に、想定される入力信号のクロマ成分は、平均化器の各出力を加算し、その加算結果の１／４の１／２．８２１〜１／１．９９０範囲にあると考えられる。このようなデータを使用して上述した閾値を設定することにより、入力信号のコンポジット・カラーテレビジョン信号中のクロマ成分レベルに適応してそれぞれのラインとの相関関係を査定することが可能になる。しかし，ノイズ成分が多い入力信号の場合においては、またクロマ成分信号の振幅が少ない場合においては、予め定めた定数を使用することが望ましい場合もある。
【００４９】
以上、説明したような態様で選択器１１５は、入力のクロマ信号成分のライン相関に適用して選択制御される。選択器１１５の出力信号は、ＢＰＦ１１６を通して連続性を有するクロマ信号１１９として出力する。同時にこの信号は、ＤＥＬＡＹ１１７を経由して着目サンプルに対して時間一致された信号と共に減算器１１８に入力される。この減算器において、入力されたコンポジット信号からクロマ信号を減算し、減算した結果を符号１２０で示す輝度信号Ｙとして出力している。
【００５０】
以上において、ライン間相関を上下のライン上の着目サンプルと垂直方向の位置関係にあるサンプルと差および和から検出すると説明してきたが、斜め方向のサンプルとの間で相関を検出することも可能である。
【００５１】
また、図１において、クロマ分離部１１４から、１Ｌｉｎｅの信号を出力しているが、この信号は、時間一致を無視すればＢＰＦ１０４の出力信号と同じ信号であり、この部分から選択器１１５の送ることが可能である。
【００５２】
以上、ＮＴＳＣカラー・テレビジョン信号を例にとり、本発明の実施形態を説明したが、ＮＴＳＣ方式以外の同様なカラー・テレビジョン、たとえばＰＡＬ方式にも適用可能である。
【００５３】
【発明の効果】
以上説明したように本発明によれば、ＢＰＦを通した信号の着目ラインと下のラインの差および和、着目ラインと上のラインの差および和、をそれぞれ算出してクロマ信号のゼロ・レベルを基準に絶対値化し、絶対値化された連続するデータ値を加算することで平均化する第１〜第４の相関データ生成手段を備えるようにし、さらに、これらの第１と第２の相関データ生成手段からの出力の小さい方を出力する第１の最小値選択手段、第３と第４の相関データ生成手段からの出力の小さい方を出力する第２の最小値選択手段、第１と第２の最小値選択手段の出力差分を計算し、差分を査定して出力する第１の査定手段、第１と第２の相関データ生成手段の出力差分を計算し、差分を査定して出力する第２の査定手段、同様な第３と第４の相関データ生成手段の出力を受ける第３の査定手段、そして各査定手段の出力を入力する選択テーブルを設け、この選択テーブルの出力により、複数の抽出クロマ信号を選択出力する選択手段の選択制御を行うようにしたので、入力信号のクロマ成分信号のライン相関に適応してクロマ抽出を行うことが可能となり、したがって、適切なＹ／Ｃ分離手法を選択制御することが可能となる。
【図面の簡単な説明】
【図１】本発明によるＹ／Ｃ分離回路のブロックダイヤグラムを示す図である。
【図２】それぞれのサンプル間の関係を示す図である。
【図３】図１に示した選択器の選択制御用の信号を生成する本発明の要部を示すブロックダイヤグラムを示す図である。
【図４】平均化器の出力状況を示す図である。
【符号の説明】
１００    入力信号
１０１、１０２    １走査線期間遅延器（１Ｈ）
１０３〜１０５    ＢＰＦ（バンドパス・フィルタ）
１０６、１０７    相関計算部
１０８〜１１１    相関計算
１１２    相関検出
１１３    選択テーブル
１１４  クロマ検出部
１１５    選択器
１１６    バンドパス・フィルタ
１１７    デレー
１１８    減算器
１１９    クロマ信号（Ｃ）
１２０    輝度信号（Ｙ）
３０１、３０３    減算器
３０２、３０３    加算器
３０９〜３１２    平均化器
３１３、３１４    最小値選択器
３１５〜３１７    減算器
３１８〜３２０    比較器（査定器）
【図１】
0004638613.tif 000004
【図２】
0004638613.tif 000005
【図３】
0004638613.tif 000006
【図４】
0004638613.tif 000007